(57)【特許請求の範囲】
【請求項１】
型枠を形成する板材と連結体との間に設けられる型枠保持用補助具であって、
前記板材の挿通孔に嵌入可能な本体部を備え、
前記本体部の内周面には、前記板材に対する前記連結体の滑りを防止する滑り防止手段が設けられ、
前記本体部は、前記挿通孔に嵌入される嵌入筒部と、前記嵌入筒部よりも大径に形成され前記板材に当接される当接筒部と、を有し、
前記滑り防止手段は、前記嵌入筒部に設けられる第１の滑り防止手段と前記当接筒部に設けられる第２の滑り防止手段とを有し、
前記第１の滑り防止手段は、弾性を有するループを有し、
前記第２の滑り防止手段は、突起を有している、型枠保持用補助具。
【請求項２】
前記滑り防止手段は、前記当接筒部に突起を有する第３の滑り防止手段をさらに有し、
前記第３の滑り防止手段に設けられる突起は、前記第２の滑り防止手段に設けられる突起よりも幅狭に形成されている、請求項１に記載の型枠保持用補助具。
【請求項３】
前記嵌入筒部は、前記嵌入筒部の中心線に垂直な断面が多角形の柱状に形成されている、請求項１又は２に記載の型枠保持用補助具。
【請求項４】
前記当接筒部は、前記連結体のＰコン（登録商標）よりも小径に形成されている、請求項１〜３の何れかに記載の型枠保持用補助具。
【請求項５】
前記嵌入筒部は、前記板材の板厚と同じ長さに形成されている、請求項１〜４の何れかに記載の型枠保持用補助具。
【発明の詳細な説明】
【技術分野】
【０００１】
本発明は、セパレータ、Ｐコン（登録商標）、フォームタイ（登録商標）等により型枠を組み立てる際に用いる型枠保持用補助具に関するものである。
【背景技術】
【０００２】
鉄筋コンクリートで構造物や住宅の基礎を建造する際には、セパレータ、Ｐコン、フォームタイといった器具と板材とを組み立てる型枠工事を行う。実際の組立作業においては、垂直に立てた板材を平行に固定するため、セパレータ、Ｐコンとフォームタイを板材の両側から締め付けて固定するが、セパレータを水平に保ち、空回りすることを防止するため、少なくとも２人の作業者が両側から作業を行う必要がある上、設置数が多いために多大な労力と人件費を要していた。
【０００３】
また、板材は繰り返し使用することが想定されているが、セパレータ、Ｐコンを挿通する板穴へのダメージが大きく、繰り返し使用することが難しくなり、予定使用回数を下回っていても頻繁に交換する必要がある状況であった。
【０００４】
そこで、Ｐコンに取り付けて型枠の組み立てを容易にする器具の技術が提案されている。例えば、特許文献１には、海、川の堤防や山崩防止壁等のコンクリート壁を構築する際に、指示されたベニヤ板等の型板の傾斜角度に容易に保持できることと、安価で頗る経済的にすることとの両方を兼備えるコンクリート壁の型枠保持具であることが記載されている。
【先行技術文献】
【特許文献】
【０００５】
【特許文献１】実用新案登録第３０２４１７３号公報
【発明の概要】
【発明が解決しようとする課題】
【０００６】
しかしながら、特許文献１に記載のコンクリート壁の型枠保持具は、フォームタイの回転に伴い保持具が一緒に回る現象が生じることがあり、作業者は１人がセパレータを保持しもう１人がフォームタイを締めつける必要があった。すなわち、型枠を任意の傾斜角度等に保持することは可能であるが、締め付け作業には人員を要する問題があった。
【０００７】
また、板材に設けられた板穴には直接セパレータが挿通し、板穴はセパレータ径よりも大径に形成されているため、セパレータの挿通作業や締め付け作業中に板穴を損傷してしまう問題があった。
【０００８】
本発明は、以上のような点を考慮してなされたものであり、作業者一人でも容易に型枠の組み立て作業を行うことができる型枠保持用補助具を提供することを課題とする。
【課題を解決するための手段】
【０００９】
上記課題を解決するため、本発明では以下の手段を採用した。
本発明に係る型枠保持用補助具は、型枠を形成する板材と連結体との間に設けられる型枠保持用補助具であって、前記板材の挿通孔に嵌入可能な本体部を備え、前記本体部の内周面には、前記板材に対する前記連結体の滑りを防止する滑り防止手段が設けられている。
【００１０】
本発明に係る型枠保持用補助具によれば、板材に嵌入し、内周面に滑り防止手段を有する本体部により、連結体を保持し、かつ締め付け作業時に連結体が板材に対する空回りや板材の板厚方向への動きを防止することができる。すなわち、通常板材の両側から２人の作業者により行われる型枠組立時の締め付け作業を１人で片側から行うことができる。
【００１１】
本発明の好ましい形態では、前記本体部は、前記挿通孔に嵌入される嵌入筒部と、前記嵌入筒部よりも大径に形成され前記板材に当接される当接筒部と、を有する。
このように、本体部が嵌入筒部と当接筒部により構成され、嵌入筒部が板材の挿通孔に嵌入して固定され、さらに嵌入筒部よりも大径に形成された当接筒部により板材に当接して力を分散させることにより効率よく連結体を保持することができる。
【００１２】
本発明の好ましい形態では、前記滑り防止手段は、前記嵌入筒部に設けられる第１の滑り防止手段と前記当接筒部に設けられる第２の滑り防止手段とを有し、前記第１の滑り防止手段は、弾性を有するループを有し、前記第２の滑り防止手段は、突起を有している。
このように、２種類の異なる滑り防止手段を設けることにより、連結体の回転および板材の板厚方向の動きを効率的に抑制することができ、２ヶ所を固定することとなるため固定力を高めることができる。
【００１３】
本発明の好ましい形態では、前記滑り防止手段は、前記当接筒部に突起を有する第３の滑り防止手段をさらに有し、前記第３の滑り防止手段に設けられる突起は、前記第２の滑り防止手段に設けられる突起よりも幅狭に形成されている。
このように、さらに第３の滑り防止手段を設けることにより、固定力を増し、さらに特殊な形状の連結体にも対応して伴回りを効率よく防止することができる。
【００１４】
本発明の好ましい形態では、前記嵌入筒部は、前記嵌入筒部の中心線に垂直な断面が多角形の柱状に形成されている。
このように嵌入筒部を多角形に形成することにより型枠保持用補助具が挿通孔内で空回りすることを防止することができる。
【００１５】
本発明の好ましい形態では、前記当接筒部は、前記連結体のＰコンよりも小径に形成されている。
このように、当接筒部をＰコンよりも小径に形成することにより、Ｐコン内部に嵌め込むことが可能となり、硬化したコンクリートにはＰコンによるＰコン穴以外に型枠保持用補助具特有穴ができないため、通常と同様の作業手順でＰコン穴を処理することができる。
【００１６】
本発明の好ましい形態では、前記嵌入筒部は、前記板材の板厚と同じ長さに形成されている。
このように、嵌入筒部を嵌入する板材の板厚に対して同じ長さとすることにより、フォームタイでの締め付け時に板材を損傷することを抑制することができる。すなわち、挿通孔の空洞部分にフォームタイの締め付けによりダメージを与えることを抑制することができる。
【発明の効果】
【００１７】
開示した技術によれば、作業者一人でも容易に型枠の組み立て作業を行うことができる型枠保持用補助具を提供することができる。
【００１８】
他の課題、特徴及び利点は、図面及び特許請求の範囲とともに取り上げられる際に、以下に記載される発明を実施するための形態を読むことにより明らかになるであろう。
【図面の簡単な説明】
【００１９】
【図１】本発明の一実施形態に係る型枠保持用補助具の斜視図である。
【図２】本発明の一実施形態に係る型枠保持用補助具の嵌入筒部の断面図である。
【図３】本発明の一実施形態に係る型枠保持用補助具の当接筒部の断面図である。
【図４】本発明の一実施形態に係る型枠保持用補助具を使用した際の型枠組立状態を示す説明図である。
【図５】本発明の一実施形態に係る型枠保持用補助具の使用方法を説明する説明図である。
【図６】本発明の一実施形態に係る型枠保持用補助具を用いて打設したコンクリートの状態を説明する説明図である。
【図７】本発明の一実施形態に係る型枠保持用補助具の斜視図である。
【図８】本発明の一実施形態に係る型枠保持用補助具の嵌入筒部の断面図である。
【図９】従来の型枠組立方法を説明する説明図である。
【図１０】従来の型枠組立方法を説明する説明図である。
【発明を実施するための形態】
【００２０】
以下、本発明を図面に示した好ましい一実施形態に係る型枠保持用補助具について、図１〜図８を参照して詳細に説明する。本発明の技術的範囲は、添付図面に示した実施形態に限定されるものではなく、特許請求の範囲に記載された範囲内において、適宜変更が可能である。
【００２１】
なお、本発明の理解においては、従来の型枠組立方法と比較することが有用であると認められる。そのため、はじめに図９および図１０を参照し従来の型枠組立方法を説明し、その後、本発明の型枠保持用補助具の特徴について説明する。
【００２２】
型枠は、所定の形に建物の基礎等となるコンクリート５５を打ち込むのに用いる、木材や金属で組んだ仮設の枠である。また、本明細書における連結体５１とは、板材５０と板材５０との間の間隔を保持するためのもののことを指す。特に本明細書ではセパレータ５２とＰコン５３等を例示している。
【００２３】
図９に示すように、一般的に型枠は、平行に設けられる板材５０と、板材５０同士の間の距離を一定に保つための連結体５１と、板材５０と連結体５１とを所定の位置に固定するためのフォームタイ５４とを組み合わせて形成され、本発明の型枠保持用補助具Ｓもこれらの構成からなる型枠を基本として使用される。なお、連結体５１とは、セパレータ５２と、セパレータ５２を板材５０に固定するためのＰコン５３の組み合わせ、またはセパレータ５２のみのことである。
【００２４】
板材５０には、連結体５１が挿通可能な挿通孔５０１が設けられている。連結体５１としてセパレータ５２は両端がねじ切りされ、Ｐコン５３またはフォームタイ５４と螺着する。すなわち、型枠組立時にはＰコン５３を用いない方法もあるが、本明細書においては、一般的な例としてＰコン５３を使用した場合を示す。
【００２５】
Ｐコン５３は、板材５０に当接可能な枠部５３１と枠部５３１の内側に設けられる軸部５３２とにより形成される。軸部５３２は、様々な種類が存在し、セパレータ５２が挿通可能に形成されたり、一端をセパレータ５２が螺着可能に形成し他端をフォームタイ５４に螺着可能に形成したりと適用する器具により、使用するＰコン５３は適宜変更される。
なお、本明細書中の図面では、一端をセパレータ５２に螺着可能な雌ねじ、他端をフォームタイ５４に螺着可能な雄ねじに形成したＰコン５３を例として示している。
【００２６】
フォームタイ５４は、板材５０の外側に当接して軸部５３２に螺着して固定する。なお、図９に例示したように、より締め付け力および固定力を上げるために板材５０に補助角材５４１を当接させ、フォームタイ５４をパイプ５４２とともにかしめて固定することができる。
【００２７】
図９および図１０に示す従来の型枠の組み立て方法は、まず図１０（ａ）に示すように第１の作業者が型枠の内側から連結体５１（セパレータ５２とＰコン５３）を挿通孔５０１に挿通させ、板材５０と連結体５１を固定しながら保持し、その後、図１０（ｂ）に示すように第２の作業者が型枠の外側からフォームタイ５４を締めつける。すなわち、型枠の組み立てには少なくとも２人以上の作業者が同時に一か所の締め付け作業を行う必要がある。
【００２８】
以下に、本発明の型枠保持用補助具Ｓを詳細に説明し、その後型枠保持用補助具Ｓを用いた型枠組立方法を説明する。
図１〜図３は本実施形態に係る型枠保持用補助具Ｓの構成を説明する図である。図１は、型枠保持用補助具Ｓの斜視図を示し、図２および図３は型枠保持用補助具Ｓの断面図を示す。
【００２９】
本発明に係る型枠保持用補助具Ｓは、図１に示すように挿通孔５０１に嵌入可能な本体部１００を備え、本体部１００は、内周面に板材５０に対して連結体５１が回転することおよび板材５０の板厚方向へ動くことを防止可能な滑り防止手段を有している。また、本体部１００は挿通孔５０１に嵌入される嵌入筒部１と、板材５０に当接される当接筒部２と、を有する。
【００３０】
本体部１００は、繰り返し使用が可能な強度を有する材料で形成されることが好ましく、例えば、プラスチック素材や、木材、金属材料等の様々な材料から好適なものを選択することができる。なお、プラスチック素材を適用することにより、量産や加工が簡単であり、近年では３Ｄプリンタ等を活用することで手軽に制作することができる。
【００３１】
滑り防止手段は、型枠保持用補助具Ｓに挿通された連結体５１が板材５０に対して滑ること、すなわち、連結体５１が締め付け作業時に伴回りすること、および板材５０の板厚方向へ動くこと、を防止するために設けられるものであり、それらを防止可能な様々な手段を適用することができる。例えば、本体部１００の内周面に突起を設けたり、面ファスナーの雌側のような複数のループを設けたり、粘着剤を設けたりする等が例として挙げられる。
【００３２】
嵌入筒部１は、回転防止部１１と第１の滑り防止手段１２とを有する。嵌入筒部１は、挿通孔５０１に嵌め込むことが可能であり、かつ挿通孔５０１内部で型枠保持用補助具Ｓ自体が回転しないように、図１に示す中心線Ｃに垂直な断面が多角形の柱状に形成されている。なお、連結体５１が挿通可能なように中空に形成されている。
【００３３】
回転防止部１１は、上記の多角形断面において、さらに回転防止力を高めるために挿通孔５０１との接触面積を軽減させて単位面積当たりの圧力を上げるために設けられている。多角形の各辺を多角形断面の中心に向かって内側に窪ませて形成している。
【００３４】
本実施形態では、図２に示すように全ての辺において各辺の中央部分を同様に窪ませ、挿通孔５０１への影響を考慮した上で断面を正多角形とした例を示しているが、多角形の辺の数や、窪ませる形状や窪ませる辺の位置、窪ませる辺の数等は回転方向に動かない耐力を考慮して決めることができる。
【００３５】
また、嵌入筒部１の長さはフォームタイ５４が板材５０に当接して固定されることが重要であるため、板材５０の板厚以下に形成されることが好ましい。また、挿通孔５０１に嵌め込む際に、セパレータ５２やＰコン５３の重さにより落下することを防止するため板厚の半分以上の長さに形成されることが好ましい。すなわち、少なくとも板材５０の板厚に対して半分以上の長さに形成され、板材５０から突出しない長さに形成されることが好ましい。
【００３６】
さらに好ましくは、板厚と同じ長さに形成されることであり、挿通孔５０１部分に空洞ができないように、すなわち嵌入筒部１により空洞部分を埋めることにより、フォームタイ５４の締めつけ時に板材５０に損傷を与えにくくすることができる。
【００３７】
第１の滑り防止手段１２は、図２に示すように嵌入筒部１の内周に設けられ、内部に挿通される軸部５３２（セパレータ５２の場合もある）とフォームタイ５４の締めつけにおいて、軸部５３２が伴回りしないように固定可能とするものである。また、連結体５１が板材５０の板厚方向へ動くことも抑制可能とするものである。
【００３８】
第１の滑り防止手段１２は、複数のループが設けられて形成されており、１つ１つのループは弾性力を有している。したがって、軸部５３２（セパレータ５２の場合もある）が挿通されると、ループが収縮し、１つ１つのループが軸部５３２のねじ切りによる凹凸部分に対応して伴回りと板厚方向への動きを防止可能とする。また、軸部５３２（セパレータ５２の場合もある）を外す時には変形したループが弾性力により元の形状に戻る。
【００３９】
このように第１の滑り防止手段１２は、面ファスナーの雌側のように、複数のループを有することが好ましく、実際の面ファスナーのようにナイロンやポリエステル等のような別の素材を適用しても良いし、本体部１００の内周面をループ形状に加工しても良い。より好ましくは、弾性力の高い合成樹脂繊維等を用いることである。なお、第１の滑り防止手段１２は、突起等ループ以外のものを設けて軸部５３２の伴回りや連結体５１が動くことを抑制することもできる（図７や図８参照）。
【００４０】
当接筒部２は、嵌入筒部１の端部に設けられ、嵌入筒部１よりも大径な中空の円柱に形成される。当接筒部２は、板材５０に当接する当接部２１と、軸部５３２の雌ねじ部分が当接する軸当接部２２と、第２の滑り防止手段２３と、第３の滑り防止手段２４と、を有する。
【００４１】
なお、当接筒部２はＰコン５３の枠部５３１内部に嵌る大きさに形成される。すなわち、本発明の型枠保持用補助具Ｓを用いた型枠組立時も、外観は従来方法の型枠組立と同様となる。したがって当接筒部２は、枠部５３１内部に設けることが可能であれば、当然に円柱形状に限らず様々な中空の柱状に形成することができる。
【００４２】
当接部２１は、当接筒部２が嵌入筒部１よりも大径に形成され、かつかかる圧力を当接部２１の面積で分散するため、全体として凹凸なく滑らかに形成されることが好ましい。
軸当接部２２は、当接筒部２の内側に設けられる。軸部５３２が雌ねじと雄ねじの両方を有する場合には、雌ねじ側の径が大きく、雄ねじ側が小さく形成されるため、軸当接部２２を設けて、雌ねじ部分の端部を当接させてＰコン５３を固定する。
【００４３】
図３（ａ）は当接筒部２の端部側に設けられる第２の滑り防止手段２３を示し、図３（ｂ）は嵌入筒部１側に設けられる第３の滑り防止手段２４を示しており、第３の滑り防止手段２４は第２の滑り防止手段２３よりも嵌入筒部１側に設けられる。第２の滑り防止手段２３と第３の滑り防止手段２４とは、突起を有している。
【００４４】
第２の滑り防止手段２３は、当接筒部２の他端側の内周に設けられる。当接筒部２の内周面に複数の突起が連続して設けられている。第２の滑り防止手段２３は、軸部５３２の雌ねじ部分を固定するために設けられ、雌ねじ部分の外周はねじ切り等がされず滑らかに形成されているため、摩擦の生じる接触面積を大きくすることが有効である。
【００４５】
第３の滑り防止手段２４は、第１の滑り防止手段１２と第２の滑り防止手段２３との間に設けられ、第２の滑り防止手段２３と同様に軸部５３２の雌ねじ部分を固定可能な突起を有する。第３の滑り防止手段２４は、第２の滑り防止手段とは異なる幅の突起に形成されることが好ましく、さらに好ましくは、第２の滑り防止手段２３よりも幅狭の突起に形成されることである。途中で突起幅を変更することにより、固定力を増すことができる。
【００４６】
なお、この第３の滑り防止手段２４は設けることにより、軸部５３２の伴回り防止効果を向上させる効果を有するが、第１の滑り防止手段１２と第２の滑り防止手段２３により十分な効果を得られる場合は、設けないという選択をすることもできる。第３の滑り防止手段２４を設けない場合には、第２の滑り防止手段２３を当接筒部２全体に設けることが好ましいが、必要に応じて適宜調整することができる。
【００４７】
本発明の型枠保持用補助具Ｓは、滑り防止手段として３種類の異なる第１の滑り防止手段１２と第２の滑り防止手段２３と第３の滑り防止手段２４とを有しており、上述のようにループと突起とにより形成されているが、これらは本発明の型枠保持用補助具Ｓの好ましい一実施形態であるため、ループや突起等に限らず連結体５１の伴回りと軸方向の動きを防止可能な滑り防止手段を選択することができる。
【００４８】
ここで図４および図５を用いて上述の型枠保持用補助具Ｓを用いた型枠形成方法について説明する。まず、図４（ａ）に示すように第１の作業者が型枠の内側から、板材５０の挿通孔５０１に嵌入筒部１を嵌め込む。続いて図４（ｂ）に示すようにセパレータ５２およびＰコン５３を型枠保持用補助具Ｓに挿通させる。
【００４９】
図４（ｂ）の状態になったら第１の作業者は型枠の外側に回って、図４（ｃ）に示すようにフォームタイ５４を締めつける。すなわち、本発明の型枠保持用補助具Ｓを用いることにより、１人の作業者により、型枠の組み立て作業をおこなうことができる。図５に完成した型枠の状態を示している。補助角材５４１やパイプ５４２等は、本図では例として示しているが、実際には使用することもできるし、使用しなくても型枠を形成することは可能である。
【００５０】
なお、図４では向かい合う板材５０の片側のみを示しているが、実際には必要な器具を一方の板材５０に全て取り付け、その後反対側の板材５０を嵌め込み、外側からフォームタイ５４により締めつけて型枠を組み立てる。反対側の作業においては、既に連結体５１が板材５０に固定されて自立しているため、本発明の型枠保持用補助具Ｓは用いない。図５に示すように、型枠保持用補助具Ｓは片側のみに装着して使用する。
【００５１】
また、本明細書では雌ねじと雄ねじにより軸部５３２が形成されたＰコン５３を用いた例を示しているが、例えばセパレータ５２が挿通するタイプのＰコン５３やＰコン５３を用いずに固定する場合も存在する。その際には、同様の要領で型枠保持用補助具Ｓを挿通孔５０１に嵌め込み、セパレータ５２のねじ切り部分を挿通させて使う。
【００５２】
図６に型枠保持用補助具Ｓを用いて作られたコンクリート５５の状態を示す。型枠保持用補助具Ｓは、Ｐコン５３の内側に当接筒部２が嵌るように設計されるため、通常の方法で形成されたコンクリート５５と同様にＰコン５３によるＰコン穴５５１は残るが、型枠保持用補助具Ｓを使用することにより新たに穴等ができることはなく、通常のＰコン穴５５１埋め作業を行うことで作業を終了することができる。すなわち、図６に示すように、型枠保持用補助具Ｓを使用する板材５０側と、使用しない側の板材５０側のどちらのＰコン穴５５１も同じ形状に形成される。
【００５３】
以上のように、本発明の型枠保持用補助具Ｓによれば、板材５０の挿通孔５０１に嵌め込むだけで、簡単にセパレータ５２とＰコン５３を固定することができるため、フォームタイ５４の締めつけ作業による伴回りを防止することができる。
【００５４】
また、型枠保持用補助具Ｓにより接続時に伴回りを防止することができるため、簡単に１人の作業者のみで型枠の組み立て作業を行うことができる。
【００５５】
また、嵌入筒部１により挿通孔５０１の隙間がなくなるため、軸部５３２が締め付け作業時にぶれて挿通孔５０１に損傷を与えることを抑制可能であるため、板材５０の繰り返し使用回数を向上させることができる。
【００５６】
また、回転防止部１１の断面を多角形に形成することにより、挿通孔５０１への接触面積を減らして単位面積当たりの圧力を向上可能であるため、型枠保持用補助具Ｓ自体が締め付け作業により回転することを防止することができる。
【００５７】
また、第１の滑り防止手段１２を、弾性を有する複数のループにより形成することにより、軸部５３２の雄ねじ部分のねじ切りにループが対応してＰコン５３が締め付け作業により伴回りすることを防止することができる。さらに、連結体５１が板材５０の板厚方向に動くことも防止することができる。
【００５８】
また、第１の滑り防止手段１２により、Ｐコン５３ではなくセパレータ５２のねじ切り部分伴回りさせないように固定することができるため、軸部５３２が挿通孔のみにより形成されているＰコン５３やＰコン５３を用いない場合にも適用し、同様の効果を得ることができる。
【００５９】
また、当接筒部２を嵌入筒部１よりも大径に形成することにより、外側には板材５０に当接可能な当接部２１が形成され、内側には、軸部５３２が当接可能な軸当接部２２が形成されるため、強い固定力を発揮させることができる。
【００６０】
また、当接部２１を設けることにより型枠保持用補助具Ｓに生じる圧力を分散させて板材５０に受け渡すことができるため、型枠保持用補助具Ｓを長期間繰り返し使用可能にすることができる。
【００６１】
また、第２の滑り防止手段２３を設けることにより、外面が滑らかに形成された軸部５３２の雌ねじ側にもしっかりと固定され、Ｐコン５３の伴回りを防止することができる。
【００６２】
また、嵌入筒部１をＰコン５３の内側に嵌るように形成することにより、型枠形成用の器具を取り外した後に通常行う、Ｐコン５３により形成されるＰコン穴５５１を埋める作業以外の特別な作業を行う必要はなく、型枠保持用補助具Ｓを使用することができる。
【符号の説明】
【００６３】
Ｓ  型枠保持用補助具
１００  本体部
１  嵌入筒部
２  当接筒部
１２  第１の滑り防止手段
２３  第２の滑り防止手段
２４  第３の滑り防止手段
【要約】
【課題】作業者一人でも容易に型枠の組み立て作業を行うことができる型枠保持用補助具を提供することを課題とする。
【解決手段】型枠を形成する板材５０と連結体５１との間に設けられる型枠保持用補助具Ｓであって、前記板材５０の挿通孔５０１に嵌入可能な本体部１００を備え、前記本体部１００の内周面には、前記板材５０に対する前記連結体５１の回転および軸方向の滑り防止する滑り防止手段が設けられている。また、前記本体部１００は、前記挿通孔５０１に嵌入される嵌入筒部１と、前記嵌入筒部１よりも大径に形成され前記板材５０に当接される当接筒部２と、を有する型枠保持用補助具Ｓにより課題を解決する。
【選択図】図１【図１】
0006667883.tif 000002
【図２】
0006667883.tif 000003
【図３】
0006667883.tif 000004
【図４】
0006667883.tif 000005
【図５】
0006667883.tif 000006
【図６】
0006667883.tif 000007
【図７】
0006667883.tif 000008
【図８】
0006667883.tif 000009
【図９】
0006667883.tif 000010
【図１０】
0006667883.tif 000011